(57)【要約】【課題】搬送途中には容易に破断することがなく、破断時には確実に破断することができる筒状フィルムを提供する。【解決手段】上端部から突出した摘み部１０ａと、この摘み部１０ａと同一領域が下端部から切除された切除部と、長さ方向の中間部に形成された周方向に伸びる後破断用横ミシン目１２と、この後破断用横ミシン目１２から摘み部１０ａに至る２本の後破断用縦ミシン目１３とを有している、瓶容器等の口部を封緘する筒状のキャップシールが、分離用ミシン目１１を介して、連続的に繋がったものであり、分離用ミシン目１１は、キャップシール送出装置における送出ローラや破断送出ローラの接触領域を含むローラ接触部分αの繋がり率が５０〜２５％に設定されていると共に、ローラ接触部分αの外側に設定されているローラ非接触部分βの繋がり率が２０％以下に設定されている。【選択図】        図２
2005178790.tif 000002
【特許請求の範囲】
【請求項１】
周方向に延びる分離用ミシン目が形成された筒状フィルムであって、
マンドレルに嵌挿された状態で、前記マンドレルの周方向に配設された複数の送出部材及び前記送出部材の下流側で前記送出部材に対応する位置に配設された複数の破断部材によって、前記マンドレルとの間に挟み込まれるようになっており、
前記送出部材と前記破断部材との動作速度差によって、前記分離用ミシン目で引きちぎられるようにして分離されるようになっている筒状フィルムにおいて、
前記分離用ミシン目は、前記送出部材及び前記破断部材が接触する部材接触部分の繋がり率よりも、前記部材接触部分を除く部分の繋がり率のほうが小さくなっていることを特徴とする筒状フィルム。
【発明の詳細な説明】
【技術分野】
【０００１】
この発明は、例えば、筒状のキャップシールが分離用ミシン目を介して連続的に繋がった長尺の筒状フィルムのように、周方向に延びる分離用ミシン目によって分離されるようになっている筒状フィルムに関する。
【背景技術】
【０００２】
例えば、容器の口部に筒状のキャップシールを装着する場合、キャップシールが連続的に繋がった、シート状に折り畳まれた状態の長尺の筒状フィルムを、所定状態に開口しながら所定長に順次切断することによって個別のキャップシールを形成した後、この開口された個別のキャップシールを容器の口部に嵌挿する方法が一般的に採用されている。
【０００３】
ところで、容器の口部を封緘するキャップシールとしては、図３に示すように、上端から摘み部５０を突出させ、容器を開封する際、摘み部５０を摘んで破断することにより、容器の口部から簡単に外すことができるように、摘み部５０に繋がる２本の後破断用縦ミシン目５２を形成したものがあり、このように摘み部５０が突出したキャップシール５Ａを長尺の筒状フィルムから切り離す場合は、ロータリカッタを使用することができないので、図４に示すように、こういった筒状のキャップシール５Ａが、摘み部５０以外の部分で分離用ミシン目５１を介して連続的に繋がった、長尺の筒状フィルム５を製造しておき、図５に示すようなキャップシール送出装置によって、筒状フィルム５からキャップシール５Ａを切り離しながら送出するようになっている。
【０００４】
このキャップシール送出装置は、同図に示すように、原反ロールＲから繰り出された筒状フィルム５を嵌挿することによって所定状態に開口するマンドレルＭと、このマンドレルＭに嵌挿された筒状フィルム５をマンドレルＭとの間に挟み込んで所定の速度で連続的に送り出す送出ローラＲ１と、この送出ローラＲ１の下流側でマンドレルＭとの間に筒状フィルム５を挟み込んで、送出ローラＲ１との回転速度差によって筒状フィルム５を分離用ミシン目５１で順次破断することで、筒状フィルム５からキャップシール５Ａを切り離してマンドレルＭから送出する破断送出ローラＲ２とを備えており、マンドレルＭから送出されたキャップシール５Ａは、ベルトコンベアＢＣによって所定の搬送ピッチで順次搬送されてくる容器Ｐの口部に順次嵌挿されるようになっている。
【０００５】
【特許文献１】特開２００２−３３１４９７号公報
【発明の開示】
【発明が解決しようとする課題】
【０００６】
ところで、上述したような筒状フィルム５に形成されている分離用ミシン目５１や後破断用縦ミシン目５２は、その繋がり率（ミシン目の全長に対するカットされていない長さの割合）が５０〜２５％の範囲内において決定された一定値に設定されており、しかも、分離用ミシン目５１で筒状フィルム５を破断する送出ローラＲ１や破断送出ローラＲ２は、マンドレルＭによって筒状に開口された筒状フィルム５の周方向の対向する２カ所だけで、筒状フィルム５に接触しているので、送出ローラＲ１や破断送出ローラＲ２が接触している部分は破断されやすいが、送出ローラＲ１や破断送出ローラＲ２から離れるに従って、筒状フィルム５が破断されにくくなるといった問題がある。
【０００７】
筒状フィルム５における送出ローラＲ１や破断送出ローラＲ２から離れた部分の破断性を高めるために、分離用ミシン目５１の繋がり率を小さくすることが考えられるが、分離用ミシン目５１の繋がり率を小さくすると、マンドレルＭを通過する際の筒状フィルム５の送出抵抗等によって、分離用ミシン目５１が送出ローラＲ１と破断送出ローラＲ２との間に到達する前に、分離用ミシン目５１で筒状フィルム５が破断されてしまうといった新たな問題が発生する。
【０００８】
そこで、この発明の課題は、搬送途中には容易に破断することがなく、破断時には確実に破断することができる筒状フィルムを提供することにある。
【課題を解決するための手段】
【０００９】
上記の課題を解決するため、請求項１にかかる発明は、周方向に延びる分離用ミシン目が形成された筒状フィルムであって、マンドレルに嵌挿された状態で、前記マンドレルの周方向に配設された複数の送出部材及び前記送出部材の下流側で前記送出部材に対応する位置に配設された複数の破断部材によって、前記マンドレルとの間に挟み込まれるようになっており、前記送出部材と前記破断部材との動作速度差によって、前記分離用ミシン目で引きちぎられるようにして分離されるようになっている筒状フィルムにおいて、前記分離用ミシン目は、前記送出部材及び前記破断部材が接触する部材接触部分の繋がり率よりも、前記部材接触部分を除く部分の繋がり率のほうが小さくなっていることを特徴とする筒状フィルムを提供するものである。
【００１０】
なお、ここでいう「部材接触部分」は、送出部材や破断部材が厳密に接触する部分を意味しているのではなく、送出部材や破断部材が接触する付近という意味である。従って、この「部材接触部分」には、送出部材や破断部材が接触しない領域が一部存在していてもよく、逆に、送出部材や破断部材が接触する領域が一部除かれていてもよい。
【００１１】
また、ここにいう「繋がり率」は、数１に示す演算式によって算出されるが、「Ｌｔ」は、分離用ミシン目のうち、「部材接触部分」や「部材接触部分を除く部分」といった特定部分の長さであり、「Ｌｃ」も、分離用ミシン目のうち特定部分に含まれる各切目の長さの総和である。
【００１２】
【数１】
2005178790.tif 000003
【発明の効果】
【００１３】
以上のように、請求項１にかかる発明の筒状フィルムは、分離用ミシン目が、送出部材や破断部材が接触する部材接触部分の繋がり率よりも、部材接触部分を除く部分の繋がり率のほうが小さくなっているので、分離用ミシン目の繋がり率が全長にわたって同じように設定されている従来の筒状フィルムに比べて、送出部材や破断部材が接触しない部分が破断され易くなると共に、分離用ミシン目の繋がり率を全体的に小さくした場合に比べて、分離用ミシン目が送出部材と破断部材との間に到達する前に、分離用ミシン目において破断されてしまうといった不都合が起こりにくい。
【発明を実施するための最良の形態】
【００１４】
以下、実施の形態について図面を参照して説明する。図１に示すように、この筒状フィルム１は、瓶容器等の口部を封緘する筒状のキャップシール１Ａが、分離用ミシン目１１を介して、連続的に繋がったものであり、図２に示すように、シート状に折り畳まれた状態で供給され、図５に示すようなキャップシール送出装置によって、筒状に開口された後、それぞれのキャップシール１Ａが順次切り離されるようになっている。
【００１５】
前記キャップシール１Ａは、ポリエステル系樹脂やポリスチレン系樹脂、ポリプロピレン系樹脂等からなる横方向に延伸された熱収縮性フィルムによって形成されており、図１に示すように、上端部から突出した摘み部１０ａと、この摘み部１０ａと同一領域が下端部から切除された切除部１０ｂと、長さ方向の中間部に形成された周方向に伸びる後破断用横ミシン目１２と、この後破断用横ミシン目１２から摘み部１０ａに至る２本の後破断用縦ミシン目１３とを有している。このキャップシール１Ａによって口部が封緘された瓶容器等は、装着されたキャップシール１Ａの摘み部１０ａを摘んで引き下げることによって、後破断用縦ミシン目１３と後破断用横ミシン目１２を破断することで、キャップシール１Ａの上半部を剥ぎ取って開封することができるようになっている。
【００１６】
この筒状フィルム１は、図１に示すように、キャップシール送出装置のマンドレル（図示せず）によって筒状に開口された状態で、摘み部１０ａを中心とした両側部が、キャップシール送出装置の送出ローラＲ１や破断送出ローラＲ２とマンドレルとの間に挟み込まれるようになっており、この筒状フィルム１に形成されている分離用ミシン目１１は、図２に示すように、網掛け表示されている送出ローラＲ１や破断送出ローラＲ２の接触領域を含むローラ接触部分αの繋がり率よりも、ローラ接触部分αの外側に設定されているローラ非接触部分βの繋がり率のほうが小さくなっている。なお、ミシン目の「繋がり率」は、上述したように、ミシン目の全長に対するカットされていない長さの割合を意味しており、数１に示す演算式によって算出される。
【００１７】
具体的には、分離用ミシン目１１におけるローラ接触部分αの繋がり率を５０〜２５％、ローラ非接触部分βの繋がり率を２０％以下に設定しておくことが望ましい。ローラ非接触部分βの繋がり率が２０％を上回ると、送出ローラＲ１と破断送出ローラＲ２とによるローラ非接触部分βの引きちぎりが難しくなるからである。また、ローラ接触部分αの繋がり率が５０％を上回ると、送出ローラＲ１や破断送出ローラＲ２によるローラ接触部分αの引きちぎり自体が難しくなると共に、仮に、引きちぎることができたとしても、その破断部がギザギザになって体裁が悪くなるからであり、２５％を下回ると、ローラ非接触部分βの繋がり率を小さくしたときに、分離用ミシン目１１が送出ローラＲ１と破断送出ローラＲ２との間に到達する前に、分離用ミシン目１１で引きちぎられてしまうからである。なお、上述した引きちぎり性や破断部の体裁等を考慮すると、厚さ３０〜５０μｍのフィルムの場合、分離用ミシン目１１におけるカットされていない長さ（非切目長）は、１．０ｍｍ以下、特に、０．３〜０．７ｍｍに設定しておくことが好ましい。
【００１８】
以下、本発明の筒状フィルムの実施例について説明する。図２に示すように、折り畳んだ状態のフィルム幅Ｌが１４５ｍｍ、送出ローラＲ１及び破断送出ローラＲ２の幅Ｌｒが２６ｍｍ、摘み部１０ａの１／２幅Ｌｎが５ｍｍ、分離用ミシン目１１におけるローラ接触部分αの長さが４６ｍｍ、左側（摘み部１０ａ側）のローラ非接触部分βの長さが５１ｍｍ、右側のローラ非接触部分βの長さが４８ｍｍの筒状フィルムについて、フィルムの材質及び厚さ、分離用ミシン目１１におけるローラ接触部分αやローラ非接触部分βの繋がり率を変化させたときの筒状フィルムからのキャップシールの引きちぎり性能を、キャップシールの瓶容器の口部への最大装着速度として評価し、その結果を表１に示した。
【００１９】
【表１】
2005178790.tif 000004
【００２０】
また、分離用ミシン目１１における、完全な切目１１ａ、１１ｂを除く、長さ１４５ｍｍの純粋なミシン目部分が、その全長にわたって一律の繋がり率を有している従来の筒状フィルムについて、フィルムの材質及び厚さ、分離用ミシン目１１の繋がり率を変化させたときの筒状フィルム１からのキャップシールの引きちぎり性能を、キャップシールの瓶容器の口部への最大装着速度として評価し、その結果を表２に示した。
【００２１】
【表２】
2005178790.tif 000005
【００２２】
なお、これらの筒状フィルムを折り畳んだ状態では、図２に示すように、その左側の折返し端（左側のローラ非接触部分βの左端）に、上述したように、５ｍｍの完全な切目１１ａが存在していると共に、右側の折返し端（右側のローラ非接触部分βの右端）に、２ｍｍの完全な切目１１ｂが存在しているが、「繋がり率」を算出する場合、こういった完全な切目１１ａ、１１ｂは分離用ミシン目１１に含まれないと考えることにする。従って、表１におけるローラ非接触部分βの「切目長」及び「非切目長」や、表２における「切目長」及び「非切目長」は、そういった完全な切目１１ａ、１１ｂを除く、本来のミシン目部分を構成している切目と非切目との長さを示している。
【００２３】
まず、表１及び表２から分かるように、厚さ４０μｍのポリエチレンテレフタレートフィルムによって形成されている実施例１〜３及び比較例１〜４の筒状フィルムについては、分離用ミシン目１１におけるローラ接触部分αの繋がり率が５０〜２５％で、ローラ非接触部分βの繋がり率が２０％以下に設定されている実施例１〜３の筒状フィルムが、分離用ミシン目１１の繋がり率が全長にわたって略一律に設定されている比較例１〜４の筒状フィルムに比べて、キャップシールの最大装着速度が高くなっている。
【００２４】
また、表１及び表２から分かるように、厚さ５０μｍの配向性ポリプロピレンフィルムによって形成されている実施例４及び比較例５の筒状フィルムや、厚さ６０μｍの配向性ポリスチレンフィルムによって形成されている実施例５及び比較例６の筒状フィルムについても、分離用ミシン目１１におけるローラ接触部分αの繋がり率が５０〜２５％で、ローラ非接触部分βの繋がり率が２０％以下に設定されている実施例４、５の筒状フィルムが、分離用ミシン目１１の繋がり率が全長にわたって略一律に設定されている比較例５、６の筒状フィルムに比べて、キャップシールの最大装着速度が高くなっている。
【００２５】
以上のように、分離用ミシン目１１が、送出ローラＲ１や破断送出ローラＲ２が接触するローラ接触部分αの繋がり率よりも、ローラ接触部分αを除く、ローラ非接触部分βの繋がり率のほうが小さくなっている実施例１〜６の筒状フィルムは、分離用ミシン目の繋がり率が全長にわたって一律に設定されている従来の筒状フィルムに比べて、送出ローラＲ１や破断送出ローラＲ２が接触しない部分が破断され易くなると共に、分離用ミシン目の繋がり率を全体的に小さくした場合に比べて、分離用ミシン目１１が送出ローラＲ１と破断送出ローラＲ２との間に到達する前に、分離用ミシン目１１で破断されてしまうといった不都合が起こりにくく、良好な引きちぎり性能を確保することができる。
【００２６】
なお、上述した実施形態では、ローラ接触部分αの幅を、送出ローラＲ１や破断送出ローラＲ２の幅Ｌｒよりも大きく設定しているが、これに限定されるものではなく、ローラ接触部分αを、送出ローラＲ１や破断送出ローラＲ２の幅Ｌｒと同一幅に設定したり、送出ローラＲ１や破断送出ローラＲ２の幅Ｌｒよりも若干小さめに設定することも可能である。
【００２７】
また、上述した実施形態では、分離用ミシン目１１におけるローラ接触部分α及びローラ非接触部分βの双方に、多数の切目及び非切目からなる本来のミシン目が形成されているが、これに限定されるものではなく、ローラ非接触部分βの繋がり率が０％になるように、ローラ非接触部分βを完全な切目によって形成することも可能である。
【００２８】
また、上述した実施形態では、シート状に折り畳んだ状態で、分離用ミシン目１１の両端部に完全な切目１１ａ、１１ｂが形成されている筒状フィルムについて説明したが、これに限定されるものではなく、本発明は、本来的なミシン目からなる分離用ミシン目が全周にわたって形成されている筒状フィルムのように、完全な切目が存在しないような筒状フィルムについても適用することができることはいうまでもない。
【００２９】
また、上述した実施形態では、摘み部１０ａを有する複数のキャップシール１Ａが連続的に繋がった筒状フィルム１について説明したが、これに限定されるものではなく、摘み部や後破断用横ミシン目、後破断用縦ミシン目等が存在しない単なる円筒状の筒状ラベル等が分離用のミシン目を介して繋がったラベル形成基材等、分離用ミシン目で引きちぎられるタイプの種々の筒状フィルムについて、本発明を適用することができる。
【００３０】
また、上述した実施形態では、送出ローラＲ１及び破断送出ローラＲ２の回転速度差によって破断される筒状フィルムについて説明したが、これに限定されるものではなく、例えば、送出ローラや破断送出ローラに代えて、一対のプーリにそれぞれ掛け渡された送出ベルトや破断送出ベルトを採用したり、筒状フィルムをマンドレルに押さえ付けた状態で、筒状フィルムの送出方向に出退する破断アームを採用したフィルム送出装置によって破断される筒状フィルムについても、本発明を適用することができることはいうまでもない。
【図面の簡単な説明】
【００３１】
【図１】この発明にかかる筒状フィルムの一実施形態を示す斜視図である。
【図２】同上の筒状フィルムをシート状に折り畳んだ状態を示す平面図である。
【図３】一般的なキャップシールを示す斜視図である。
【図４】同上のキャップシールが繋がった筒状フィルムをシート状に折り畳んだ状態を示す平面図である。
【図５】同上の筒状フィルムからキャップシールを引きちぎって送出するキャップシール送出装置を示す概略構成図である。
【符号の説明】
【００３２】
１  筒状フィルム
１Ａ  キャップシール
１０ａ  摘み部
１０ｂ  切除部
１１  分離用ミシン目
１１ａ、１１ｂ  切目
１２  後破断用横ミシン目
１３  後破断用縦ミシン目
α  ローラ接触部分
β  ローラ非接触部分
Ｒ１  送出ローラ（送出部材）
Ｒ２  破断送出ローラ（破断部材）
【図１】
2005178790.tif 000006
【図２】
2005178790.tif 000007
【図３】
2005178790.tif 000008
【図４】
2005178790.tif 000009
【図５】
2005178790.tif 000010